(57)【特許請求の範囲】
【請求項１】
炊飯器の内釜の上縁に掛着される炊飯器用の炊き分け仕切り容器であって、
前記炊飯器用の炊き分け仕切り容器は、鍔付き筒状容器と、該鍔付き筒状容器の内側に挿嵌される底上げ調整板と、で構成され、
前記鍔付き筒状容器は、炊飯器の内釜の略1／２の外径寸法を有すると共に、該内釜の深さ寸法内に収まる筒状容器部を形成し、
外周面には米粒より小さい複数の通水孔を設けた仕切り壁を形成し、
内側面には前記底上げ調整板が上下に移動して係止される係止手段を形成し、
上端部には炊飯器の内釜の上縁と同じ外形寸法を有する鍔状のフランジ部を形成すると共に、該上面には複数の通気穴を円弧状に設けて成り、
前記底上げ調整板は、前記鍔付き筒状容器の内側に上下移動が可能な円板状の外径を形成すると共に、米粒より小さい複数の通水孔を設けて成り、
前記底上げ調整板を上下に移動させて前記鍔付き筒状容器内に貯められている米粒の分量と水面との位置関係を調整することによって、硬めのご飯と軟らかめのご飯を同時に炊き分けることができることを特徴とする炊飯器用の炊き分け仕切り容器。
【請求項２】
前記鍔付き筒状容器の鍔状のフランジ部の上面に外径寸法の異なる複数の切断スリット溝を円弧状に設けたことを特徴とする請求項1記載の炊飯器用の炊き分け仕切り容器。
【請求項３】
炊飯器の内釜の底部と開閉蓋に挟まれる炊飯器用の炊き分け仕切り容器であって、
前記炊飯器用の炊き分け仕切り容器は、縁付き筒状容器と、該縁付き筒状容器の内側に挿嵌される底上げ調整板と、該縁付き筒状容器の上端部が嵌められるガタ押さえ緩衝体と、で構成され、
前記縁付き筒状容器は、炊飯器の内釜の略1／２の外径寸法を有すると共に、該内釜の深さ寸法内に収まる筒状容器部を形成し、
外周面には米粒より小さい複数の通水孔を設けた仕切り壁を形成し、
内側面には前記底上げ調整板が上下に移動して係止される係止手段を設け、
上端部には環装状の縁部を形成し、
下端部には下方が開放される連通穴を複数周設して成り、
前記底上げ調整板は、前記縁付き筒状容器の内側に上下移動が可能な円板状の外径を形成すると共に、米粒より小さい複数の通水孔を設けて成り、
前記ガタ押さえ緩衝体は、炊飯器の開閉蓋に当接する筒状の軟質合成樹脂素材で形成され、
上方部には上方が開口して先端が先細りの通気穴を外周上に複数周設し、
下方部には前記縁付き筒状容器の環装状の縁部が嵌められて上下移動が可能な係止嵌め合い部を形成して成ることを特徴とする請求項1記載の炊飯器用の炊き分け仕切り容器。
【発明の詳細な説明】
【技術分野】
【０００１】
本発明は、炊飯器の内釜内に設けられて硬めのご飯と軟らかめのご飯を同時に炊き分けることができる炊飯器用の炊き分け仕切り容器に関する。
【背景技術】
【０００２】
従来より、１台の炊飯器で硬めのご飯と軟らかめのご飯を炊き分けることができる方法としては、炊飯器の内釜に仕切り板（隔壁）を設けて分割された炊飯槽の水分量を其々に増減させることによって硬めのご飯と軟らかめのご飯を同時に炊き分ける方法と、炊飯器の内釜内の水分量を流動させると共に、米粒の分量を増減させることによって硬めのご飯と軟らかめのご飯を同時に炊き分ける方法とが知られ、それらに関する多くの提案がなされ、周知技術となっている。
【０００３】
上記の炊飯器の内釜に仕切り板（隔壁）を設けて分割された炊飯槽の水分量を其々に増減させることによって硬めのご飯と軟らかめのご飯を同時に炊き分ける提案としては、例えば、仕切り具本体の仕切り面の底面当接稜線部と左端部、右端部、稜線部は、内鍋の底面及び内壁面に密接するように形成された「炊飯器用仕切り具」（特許文献１参照）が提案されている。
【０００４】
しかしながら、かかる「炊飯器用仕切り具」の提案は、仕切り板によって炊飯器の内釜を二分する手段を採用しているため、炊飯器の内釜と仕切り板が高精度に密接する部品精度が要求されることから製造原価の高騰が懸念されると共に、炊飯器の内釜炊飯機能が中央の被炊飯物の仕切り板側に及ばないといった問題点があるものであった。
【０００５】
また、上記問題点を解決する内釜が複数の独立した区画に仕切られた「釜」（特許文献２参照）が提案されている。
【０００６】
しかしながら、かかる「釜」の提案は、炊飯器の内釜と仕切り板が一体成型される手段を採用しているため、内釜の内面加工度の難易性から製造原価の高騰が懸念されると共に、一般家庭で使用する際に洗い物作業時の手間がかかるといった問題点があるものであった。
【０００７】
一方、炊飯器の内釜内の水分量を流動させると共に、米粒の分量を増減させることによって硬めのご飯と軟らかめのご飯を同時に炊き分ける提案としては、例えば、白米及び水を入れる炊飯鍋の内空間を複数に区画すると共に、板厚方向に貫通する水は通すが米粒は実質上遮る通水穴を有する垂直間仕切り板を備える「炊飯器」特許文献３参照）が提案されている。
【０００８】
しかしながら、かかる「炊飯器」の提案は、垂直間仕切り板によって炊飯器の内釜を二分して使用する場合、垂直間仕切り板自体が独立して自立することができる手段を備えていないものであり、また、白米及び水を入れる炊飯鍋の内空間を複数に区画するための垂直壁と、該垂直壁を水平方向に貫通する水は通すが米粒は実質上遮る通水穴を有する内子鍋を備える構造は、内子鍋の容量内に貯められる米粒の分量に限定されて硬めのご飯と軟らかめのご飯が炊飯されるため、硬めのご飯と軟らかめのご飯の炊飯量の比率が内子鍋の容量に限定されることとなり、使用者にとって内子鍋で炊かれる炊飯量の分量を自由に設定できないといった問題点があるものであった。
【０００９】
その炊飯量の分量を自由に設定できないといった問題点を解決する提案として、ヒンジ機構を用いた仕切り板を所定の区切り位置に装着し、被炊飯物を鍋に入れて水加減をした後、該仕切り板を境にした被炊飯物の分量を増減することによって被炊飯物の硬軟を調整することができる「炊飯器、炊飯器の鍋の仕切り板及び炊飯方法」（特許文献４参照）が提案されている。
【００１０】
しかしながら、かかる「炊飯器、炊飯器の鍋の仕切り板及び炊飯方法」の提案は、炊飯時の水流や水圧、蒸気圧、泡の発生等の内釜炊飯機能への影響や、ヒンジ機構を用いた仕切り板の対角線上の固定手段が確立されていないことが重なって、仕切り板が内釜の内壁から離脱する方向に移動する可能性があることから、仕切られる被炊飯物の隔離が確実に行われないという問題点があるものであった。
【００１１】
また、本発明の炊飯器用の炊き分け仕切り容器に類似する「固さ別ご飯同時炊き分け仕切り器」（特許文献５参照）が提案されている。
【００１２】
しかしながら、かかる「固さ別ご飯同時炊き分け仕切り器」の提案は、水は通り米は通らない仕切り板を炊飯器の中にセットして、仕切り内外の米の量を変えることにより、固さの違う２種類のご飯を同時に炊くことができる固さ別ご飯同時炊き分け仕切り器であると共に、炊き分ける量を３分の１にしたい時は１２０度に、４分の１にしたい時は９０度に開いて置けばいいので炊き分け量を簡単に設定できるとされる提案は、上記の提案と同様に炊飯時の水流や水圧、蒸気圧、泡の発生等の内釜炊飯機能への影響や、ヒンジ機構を用いた仕切り板の対角線上の固定手段が確立されていないことなどが重なって、仕切り板が内釜の内壁から離脱する方向に移動する可能性があることから、仕切られる被炊飯物の隔離が確実に行われないという問題点があるものであった。
【００１３】
また、炊飯器の種類によって釜底の形状が違うため、請求項１の仕切り板で対応できない場合は、帯状の１枚の仕切り板を筒状に起立させて使用すると共に、水を通すためにあけられている穴に引っかかるように、仕切り板の縦の一辺の２個所をかぎ形にしておき引っかける位置をずらすことで、筒の大きさを調整して炊き分けの分量を変えることができる提案は、炊飯器の開閉蓋に当接してガタを抑制する手段を備えていないことや、炊飯時の水流や水圧、蒸気圧、泡の発生等の内釜炊飯機能への影響や、ヒンジ機構を用いた仕切り筒の固定手段が確立されていないことから、仕切られる被炊飯物の隔離が確実に行われないという問題点があるものであった。
【００１４】
本出願人は、以上のような従来の炊飯器の内釜内の水分量と米粒の分量の増減に限定されて硬めのご飯と軟らかめのご飯を炊き分ける仕切り板の構造に着目し、炊飯器の内釜炊飯機能に影響を及ぼすことなく、硬めのご飯と軟らかめのご飯を同時に炊き分けることができないものかという着想の下、炊飯器の内釜内に設けられる仕切り容器の仕切り壁と底上げ調整板を用いて硬めのご飯と軟らかめのご飯を同時に炊き分けることができる炊飯器用の炊き分け仕切り容器を開発し、本発明における「炊飯器用の炊き分け仕切り容器」の提案に至るものである。
【先行技術文献】
【特許文献】
【００１５】
【特許文献１】実開平５-２１８２８号公報
【特許文献２】実開平６-３８８１７号公報
【特許文献３】特開平７-３２２９５１号公報
【特許文献４】特開２００７-２３６５９９号公報
【特許文献５】特開２００１-１７３１６号公報
【発明の概要】
【発明が解決しようとする課題】
【００１６】
本発明は、上記問題点に鑑み、炊飯器の内釜内に設けられて硬めのご飯と軟らかめのご飯を同時に炊き分けることができる炊飯器用の炊き分け仕切り容器の提供を図ることを目的とする。
【課題を解決するための手段】
【００１７】
本発明の炊飯器用の炊き分け仕切り容器は、上記課題を解決するためになされるもので、炊飯器の内釜の上縁に掛着される炊飯器用の炊き分け仕切り容器であって、前記炊飯器用の炊き分け仕切り容器は、鍔付き筒状容器と、該鍔付き筒状容器の内側に挿嵌される底上げ調整板と、で構成され、前記鍔付き筒状容器は、炊飯器の内釜の略1／２の外径寸法を有すると共に、該内釜の深さ寸法内に収まる筒状容器部を形成し、外周面には米粒より小さい複数の通水孔を設けた仕切り壁を形成し、内側面には前記底上げ調整板が上下に移動して係止される係止手段を形成し、上端部には炊飯器の内釜の上縁と同じ外形寸法を有する鍔状のフランジ部を形成すると共に、該上面には複数の通気穴を円弧状に設けて成り、前記底上げ調整板は、前記鍔付き筒状容器の内側に上下移動が可能な円板状の外径を形成すると共に、米粒より小さい複数の通水孔を設けて成り、前記底上げ調整板を上下に移動させて前記鍔付き筒状容器内に貯められている米粒の分量と水面との位置関係を調整することによって、硬めのご飯と軟らかめのご飯を同時に炊き分けることができる手段を採る。
【００１８】
また本発明の炊飯器用の炊き分け仕切り容器は、前記鍔付き筒状容器の鍔状のフランジ部の上面に外径寸法の異なる複数の切断スリット溝を円弧状に設けた手段を採る。
【００１９】
また本発明の炊飯器用の炊き分け仕切り容器は、炊飯器の内釜の底部と開閉蓋に挟まれる炊飯器用の炊き分け仕切り容器であって、前記炊飯器用の炊き分け仕切り容器は、縁付き筒状容器と、該縁付き筒状容器の内側に挿嵌される底上げ調整板と、該縁付き筒状容器の上端部が嵌められるガタ押さえ緩衝体と、で構成され、前記縁付き筒状容器は、炊飯器の内釜の略1／２の外径寸法を有すると共に、該内釜の深さ寸法内に収まる筒状容器部を形成し、外周面には米粒より小さい複数の通水孔を設けた仕切り壁を形成し、内側面には前記底上げ調整板が上下に移動して係止される係止手段を設け、上端部には環装状の縁部を形成し、下端部には下方が開放される連通穴を複数周設して成り、前記底上げ調整板は、前記縁付き筒状容器の内側に上下移動が可能な円板状の外径を形成すると共に、米粒より小さい複数の通水孔を設けて成り、前記ガタ押さえ緩衝体は、炊飯器の開閉蓋に当接する筒状の軟質合成樹脂素材で形成され、上方部には上方が開口して先端が先細りの通気穴を外周上に複数周設し、下方部には前記縁付き筒状容器の環装状の縁部が嵌められて上下移動が可能な係止嵌め合い部を形成して成る手段を採る。
【発明の効果】
【００２０】
本発明の炊飯器用の炊き分け仕切り容器によれば、炊飯器の内釜内に設けられて硬めのご飯と軟らかめのご飯を同時に炊き分ける機能を有する仕切り壁と底上げ調整板を備える手段を採用しているため、製造される部品同士の密接機能が求められないことによって製造コストの低廉が図られると共に、仕切り容器自体が簡易構造となることから使用に当たっての炊飯作業や洗い物作業が簡単に行えるといった優れた効果を奏する。
【００２１】
また本発明の炊飯器用の炊き分け仕切り容器によれば、合成樹脂製の炊飯器用の炊き分け仕切り容器が、射出成型加工による波状や突起状の係止手段を備えることによって、本体の成型加工と同時加工することができるため、極めて安価な加工手段で炊き分け仕切り容器本体自体を製造することができるといった優れた効果を奏する。
【００２２】
また本発明の炊飯器用の炊き分け仕切り容器によれば、筒状容器部の外周面に通水孔を設けた仕切り壁が形成されていることによって、米粒の周辺が全くストレスがない状態で隔離されるため、炊飯器の内釜炊飯機能が炊飯器内の米粒全体に機能するといった優れた効果を奏する。
【００２３】
また本発明の炊飯器用の炊き分け仕切り容器によれば、炊飯器の内釜内に設けられる筒状容器部の内側に挿嵌される底上げ調整板の上下移動によって炊き分ける炊飯量の分量を大きく変えることができるため、炊飯時の水流や水圧、蒸気圧、泡の発生等の内釜炊飯機能に影響を与えることなく被炊飯物の隔離が確実に行えるといった優れた効果を奏する。
【００２４】
また本発明の炊飯器用の炊き分け仕切り容器によれば、底上げ調整板の上下移動によって炊き分ける炊飯量の分量を大きく変えることができると共に、硬めのご飯と軟らかめのご飯の炊飯量を自由に設定できるといった優れた効果を奏する。
【００２５】
また本発明の炊飯器用の炊き分け仕切り容器によれば、鍔付き筒状容器の鍔状のフランジ部の上面に外径寸法の異なる複数の切断スリット溝を円弧状に設けた手段を採用しているため、既に販売されている使用中の炊飯器にも後付けによって取り付けることができることから、別売りのキッチン用品として販売することができるといった優れた効果を奏する。
【００２６】
また本発明の炊飯器用の炊き分け仕切り容器によれば、炊飯器の内釜の底部と開閉蓋に挟まれて炊飯器用の炊き分け仕切り容器のガタを抑制する構造を採用しているため、既に販売されている使用中の炊飯器にも後付けによって取り付けることができることから、別売りのキッチン用品として販売することができるといった優れた効果を奏する。
【図面の簡単な説明】
【００２７】
【図１】本発明の炊飯器用の炊き分け仕切り容器における請求項１記載の実施形態を示す説明図である。（実施例１）
【図２】本発明の炊飯器用の炊き分け仕切り容器における請求項２記載の実施形態を示す説明図である。（実施例２）
【図３】本発明の炊飯器用の炊き分け仕切り容器における請求項３記載の実施形態を示す説明図である。（実施例３）
【図４】本発明の炊飯器用の炊き分け仕切り容器における係止手段の実施形態を示す説明図である。
【発明を実施するための形態】
【００２８】
本発明は、炊飯器Ｒの内釜Ｋの上縁に掛着される炊飯器用の炊き分け仕切り容器１０であって、該炊飯器用の炊き分け仕切り容器１０は、鍔付き筒状容器２０と、該鍔付き筒状容器２０の内側に挿嵌される底上げ調整板３０と、で構成され、鍔付き筒状容器２０は、炊飯器Ｓの内釜Ｋの略1／２の外径寸法を有すると共に、該内釜Ｋの深さ寸法内に収まる筒状容器部２１を形成し、外周面には米粒Ｒより小さい複数の通水孔２２を設けた仕切り壁２９を形成し、内側面には底上げ調整板３０が上下に移動して係止される係止手段２５を形成し、上端部には炊飯器Ｓの内釜Ｋの上縁と同じ外形寸法を有する鍔状のフランジ部２３を形成すると共に、該上面には複数の通気穴２４を円弧状に設けて成り、底上げ調整板３０は、鍔付き筒状容器２０の内側に上下移動が可能な円板状の外径を形成すると共に、米粒Ｒより小さい複数の通水孔３１を設けて成る手段を採ったことを最大の特徴とする。以下、本発明の実施形態を図面を基に説明する。
【００２９】
尚、本発明における炊飯器用の炊き分け仕切り容器１０は、以下に述べる実施例に限定されるものではなく、本発明の技術的思想の範囲内、すなわち同一の作用効果を発揮できる形状及び寸法の範囲内で適宜変更することができる。
【実施例１】
【００３０】
図１は、本発明の炊飯器用の炊き分け仕切り容器における請求項１記載の実施形態を示す説明図である。
図１（a）は分解斜視図を示し、図１（b）は断面説明図を示す。
本発明の炊飯器用の炊き分け仕切り容器１０は、ステンレス材ならびに合成樹脂素材で一体成型されると共に、鍔付き筒状容器２０と該鍔付き筒状容器２０に内設される底上げ調整板３０とで構成され、表面にはフッ素加工またはテフロン（登録商標）加工等のコーティングが施され、炊き上がった米粒Ｒのこびり付きを防止する手段を配して形成される。
【００３１】
鍔付き筒状容器２０は、炊飯器Ｓの内釜Ｋの略1／２の外径寸法を有すると共に、該内釜Ｋの深さ寸法内に収まる形状で筒状容器部２１と鍔状のフランジ部２３を有して形成される。
【００３２】
筒状容器部２１は、米粒Ｒが隔離されて貯留される空間で、外周面には米粒Ｒより小さい複数の通水孔２２を設けた仕切り壁２９を形成し、内側面には底上げ調整板３０が上下に移動して係止される係止手段２５を形成し、上端部には鍔状のフランジ部２３を形成すると共に、該上面には複数の通気穴２４を円弧状に設けて形成される。
尚、形成される素材としては、金属板による深絞り加工ならびに合成樹脂による射出成型加工が製造コスト的に一般的であるが、枠体を設けた布製や樹脂製のネットなどによっても形成することが可能である。さらに枠体を伴ったステンレス製の金網で形成されるのが、通水性、堅牢性、耐磨耗性、安全衛生性の面からも最適であると考えられる。
【００３３】
通水孔２２は、筒状容器部２１の外周面に米粒Ｒより小さい孔を複数の設けて形成されるもので、炊飯器Ｓ内の水Ｗは通すが米粒Ｒは遮る形状に形成される。  
【００３４】
鍔状のフランジ部２３は、筒状容器部２１の上端部に炊飯器Ｓの内釜Ｋの上縁と同じ外形寸法を有して形成されるもので、炊飯器Ｓの内釜Ｋの上縁に掛着される形状に形成される。  
【００３５】
通気穴２４は、筒状容器部２１の上部に形成される鍔状のフランジ部２３の上面に円弧状に形成されるもので、炊飯器Ｓの炊き上げ途中で発生する蒸気の流動を助けると共に、炊飯器用の炊き分け仕切り容器１０を取り出す際の取っ手として使用される形状に形成される。
【００３６】
係止手段２５は、筒状容器部２１の内側面に底上げ調整板３０が上下に移動して係止される形状に形成されるもので、その形状に関しては、後述する図４の実施例をもって形成される。
【００３７】
仕切り壁２９は、筒状容器部２１の外周面に米粒Ｒより小さい複数の通水孔２２を設けて形成されるもので、水Ｗは通すが米粒Ｒは遮る形状に形成される。また、図示はされていないが、筒状容器部２１内に適宜に分割された仕切り板を装脱自在に設けることによって、さらに細かく水分調整された炊飯を行うことができる。さらに、筒状容器部２１の外周面に通水孔２２を設けた仕切り壁２９が形成されていることによって、米粒Ｒの周辺が全くストレスがない状態で隔離されるため、炊飯器Ｓの内釜炊飯性能が炊飯器Ｓ内の米粒Ｒ全体に機能するといった従来にない機能を有する。
【００３８】
底上げ調整板３０は、ステンレス材ならびに合成樹脂素材で成型され、鍔付き筒状容器２０の内側に上下移動が可能な円板状の外径を形成すると共に、米粒Ｒより小さい複数の通水孔３１を設けて形成される。また、底上げ調整板３０が筒状容器部２１内を上下移動することによって炊飯器Ｓの内釜Ｋ内の水Ｗを流動させると共に、米粒Ｒの水面下の位置を調整することによって硬めのご飯と軟らかめのご飯を同時に炊き分けることができる。さらに、底上げ調整板３０の上下移動によって炊き分ける炊飯量の分量を大きく変えることができると共に、硬めのご飯と軟らかめのご飯の炊飯量を自由に設定できるといった従来にない機能を有する。
【００３９】
図１（c）使用状態を示す断面説明図である。
図示される本発明の炊飯器用の炊き分け仕切り容器１０は、ステンレス製の深絞り加工または合成樹脂による射出成型加工よって形成されるもので、炊飯器用の炊き分け仕切り容器１０自体を一体成型することによって、構造的にシンプルで使い易い簡易形状で形成される。  
【００４０】
本発明の炊飯器用の炊き分け仕切り容器１０の使用状態を下記に説明する。
（1）炊飯器Ｓの内釜Ｋと、事前に洗米された硬めの米粒Ｒと軟らかめの米粒Ｒを分量を分けて用意する。
（2）洗米された軟らかめの米粒Ｒの分量を炊飯器Ｓの内釜Ｋ内に投入する。
（3）洗米された硬めの米粒Ｒの分量を炊飯器の内釜Ｋの上縁に掛着される本発明の炊飯器用の炊き分け仕切り容器１０の筒状容器部２１内に投入する。
（4）炊飯器Ｓの内釜Ｋ内に投入された軟らかめの米粒Ｒの分量に合わせて水Ｗを張る。
（5）炊飯器Ｓの内釜Ｋの水位Ｌに合わせて炊飯器Ｓの内釜Ｋの上縁に掛着される筒状容器部２１内の底上げ調整板３０を上下移動させて硬めの米粒Ｒの水面下の位置を調整する。
（6）さらに微調整が必要な場合は、軟らかめの米粒Ｒの分量から硬めの米粒Ｒの分量を増減させて微調整する。
（7）炊飯器Ｓの開閉蓋Ｆを閉めて炊飯器Ｓのスイッチを入れる。
（8）炊き上がったら、本発明の炊飯器用の炊き分け仕切り容器１０を逆さまにして炊飯器Ｓの内釜Ｋに硬めのご飯を移す。
（9）しゃもじで硬めのご飯と軟らかめのご飯を各自の好みに合わせて茶碗に盛る。
【００４１】
以上で構成される本発明の炊飯器用の炊き分け仕切り容器１０は、炊飯器Ｓの内釜Ｋ内の水Ｗを流動させて水位を一定に保つと共に、米粒Ｒの水面下の位置を調整することによって硬めのご飯と軟らかめのご飯を同時に炊き分けることができる。
また、本発明の炊飯器用の炊き分け仕切り容器１０は、炊飯器Ｓの内釜Ｋ内に設けられる筒状容器部２１の内側に挿嵌される底上げ調整板３０の上下移動によって炊き分ける炊飯量の分量を大きく変えることができると共に、硬めのご飯と軟らかめのご飯の炊飯量を自由に設定できる構造を有して形成される。
【実施例２】
【００４２】
図２は、本発明の炊飯器用の炊き分け仕切り容器における請求項２記載の実施形態を示す説明図である。
図２（a）は分解斜視図を示し、図２（b）は断面説明図を示す。
本発明の炊飯器用の炊き分け仕切り容器１０は、鍔付き筒状容器２０と、該鍔付き筒状容器２０に内設される底上げ調整板３０と、で構成され、鍔付き筒状容器２０の鍔状のフランジ部２３の上面に外径寸法の異なる複数の切断スリット溝２６を円弧状に設けて形成される。
【００４３】
切断スリット溝２６は、鍔状のフランジ部２３の上面に外径寸法の異なる円弧状に形成されて既存の炊飯器Ｓの内釜Ｋの外径寸法の合わせて任意に切断されて使用される。
【００４４】
図２（c）使用状態を示す断面説明図である。
本発明の炊飯器用の炊き分け仕切り容器１０の使用状態を下記に説明する。  
（1）鍔付き筒状容器２０の鍔状のフランジ部２３の切断スリット溝２６を切断して、使用する炊飯器Ｓの内釜Ｋの外径寸法に合わせた炊飯器用の炊き分け仕切り容器１０を用意する。
（2）炊飯器Ｓの内釜Ｋと、洗米された硬めの米粒Ｒの分量と軟らかめの米粒Ｒの分量を分けて用意する。
（3）洗米された軟らかめの米粒Ｒの分量を炊飯器Ｓの内釜Ｋ内に投入する。
（4）洗米された硬めの米粒Ｒの分量を本発明の炊飯器用の炊き分け仕切り容器１０の筒状容器部２１内に投入する。
（5）炊飯器Ｓの内釜Ｋ内に投入された軟らかめの米粒Ｒの分量に合わせて水Ｗを張る。
（6）炊飯器Ｓの内釜Ｋの水位Ｌに合わせて筒状容器部２１内の底上げ調整板３０を上下移動させて硬めの米粒Ｒの水面下の位置を調整する。
（7）さらに微調整が必要な場合は、軟らかめの米粒Ｒの分量から硬めの米粒Ｒの分量を増減させて微調整する。
（8）炊飯器Ｓの開閉蓋Ｆを閉めて炊飯器Ｓのスイッチを入れる。
（9）炊き上がったら、本発明の炊飯器用の炊き分け仕切り容器１０を逆さまにして炊飯器Ｓの内釜Ｋに硬めのご飯を移す。
（10）しゃもじで硬めのご飯と軟らかめのご飯を各自の好みに合わせて茶碗に盛る。
【００４５】
以上で構成される本発明の炊飯器用の炊き分け仕切り容器１０は、鍔状のフランジ部２３の上面に切断スリット溝２６が設けられることによって、既に販売されている使用中の炊飯器Ｓにも取り付けすることができることから、別売りのキッチン用品として販売することができる。
【実施例３】
【００４６】
図３は、本発明の炊飯器用の炊き分け仕切り容器における請求項３記載の実施形態を示す説明図である。
図３（a）は分解斜視図を示し、図３（b）は断面説明図を示す。
本発明は、炊飯器Ｓの内釜Ｋの底部と開閉蓋Ｆに挟まれる炊飯器用の炊き分け仕切り容器１０であって、該炊飯器用の炊き分け仕切り容器１０は、縁付き筒状容器２７と、該縁付き筒状容器２７の内側に挿嵌される底上げ調整板３０と、該縁付き筒状容器２７の上端部が嵌められるガタ押さえ緩衝体４０と、で構成され、縁付き筒状容器２７は、炊飯器Ｓの内釜Ｋの略1／２の外径寸法を有すると共に、該内釜Ｋの深さ寸法内に収まる筒状容器部２１を形成し、外周面には米粒Ｒより小さい複数の通水孔２２を設けた仕切り壁２９を形成し、内側面には底上げ調整板３０が上下に移動して係止される係止手段２５を設け、上端部には環装状の縁部２８を形成し、下端部には下方が開放される連通穴４３を複数周設して成り、底上げ調整板３０は、縁付き筒状容器２７の内側に上下移動が可能な円板状の外径を形成すると共に、米粒Ｒより小さい複数の通水孔３１を設け、表面にはフッ素加工またはテフロン（登録商標）加工等が施され、炊き上がった米粒Ｒのこびり付きを防止する手段を有して形成される。ガタ押さえ緩衝体４０は、炊飯器Ｓの開閉蓋Ｆに当接する円筒状の軟質合成樹脂素材で形成され、上方部には上方が開口して先端が先細りの通気穴４１を外周上に複数周設し、下方部には縁付き筒状容器２７の環装状の縁部２８が嵌められて上下移動が可能な係止嵌め合い部４２を形成する。
【００４７】
縁付き筒状容器２７は、炊飯器Ｓの内釜Ｋの略1／２の外径寸法を有すると共に、該内釜Ｋの深さ寸法内に収まる筒状容器部２１を形成し、外周面には複数の通水孔２２を設けた仕切り壁２９を形成し、内側面には底上げ調整板３０が上下移動して係止される係止手段２５を設け、上端部には環装状の縁部２８を形成し、下端部には下方が開放される連通穴４３を複数周設して形成される。
【００４８】
環装状の縁部２８は、金属製の場合は、カール状に折り返されて形成され、合成樹脂性の場合は、球縁状に成形されてガタ押さえ緩衝体４０の係止嵌め合い部４２に嵌められるもので、炊飯器Ｓ内の本発明の炊飯器用の炊き分け仕切り容器１０の取り付けによるガタを防止する形状で形成される。
【００４９】
ガタ押さえ緩衝体４０は、炊飯器Ｓの開閉蓋Ｆに当接する筒状の軟質合成樹脂素材で形成され、上方部には上方が開口して先端が先細りの通気穴４１を外周上に複数周設し、下方部には縁付き筒状容器２７の環装状の縁部２８が嵌められて上下移動が可能な係止嵌め合い部４２が形成される。
【００５０】
係止嵌め合い部４２は、筒状容器部２１の上端部に設けられる環装状の縁部２８が嵌められるもので、炊飯器Ｓ内の本発明の炊飯器用の炊き分け仕切り容器１０の取り付けによるガタを防止する形状で形成される。
【００５１】
図３（c）使用状態を示す断面説明図である。  
本発明の炊飯器用の炊き分け仕切り容器１０の使用状態を下記に説明する。
（1）炊飯器Ｓの内釜Ｋと、事前に洗米された硬めの米粒Ｒと軟らかめの米粒Ｒを分量を分けて用意する。
（2）洗米された軟らかめの米粒Ｒの分量を炊飯器Ｓの内釜Ｋ内に投入する。
（3）洗米された硬めの米粒Ｒの分量を炊飯器Ｓの内釜Ｋの底部に載置された本発明の炊飯器用の炊き分け仕切り容器１０の筒状容器部２１内に投入する。
（4）炊飯器Ｓの内釜Ｋ内に投入された軟らかめの米粒Ｒの分量に合わせて水Ｗを張る。
（5）炊飯器Ｓの内釜Ｋの水位Ｌに合わせて筒状容器部２１内の底上げ調整板３０を上下移動させて硬めの米粒Ｒの水面下の位置を調整する。
（6）さらに微調整が必要な場合は、軟らかめの米粒Ｒの分量から硬めの米粒Ｒの分量を増減させて微調整する。
（7）炊飯器Ｓの開閉蓋Ｆを閉めて炊飯器Ｓのスイッチを入れる。
（8）炊き上がったら本発明の炊飯器用の炊き分け仕切り容器１０を逆さまにして炊飯器Ｓの内釜Ｋに硬めのご飯を移す。
（9）しゃもじで硬めのご飯と軟らかめのご飯を各自の好みに合わせて茶碗に盛る。
【００５２】
以上で構成される本発明の炊飯器用の炊き分け仕切り容器１０は、係止手段２５によって筒状容器部２１とガタ押さえ緩衝体４０とが使用中の炊飯器Ｓの種類に合わせて任意に調整できることによって、既に販売されている使用中の炊飯器Ｓにも取り付けることができることから、別売りのキッチン用品として販売することができる。
【００５３】
図４は、本発明炊飯器用の炊き分け仕切り容器における係止手段の実施形態を示す説明図である。
図４（a）は係止手段２５の実施形態を示す。
金属製の炊飯器用の炊き分け仕切り容器１０に設けられるもので、プレス成型加工による波状の係止手段２５を設けることによって、本体の成型加工と同時加工ができるため極めて安価な加工手段で提供される。
【００５４】
図４（b）は係止手段２５の別の実施形態を示す。
金属製の炊飯器用の炊き分け仕切り容器１０に設けられるもので、リベット圧着加工による係止手段２５を設けることによって金属製の素材を確実に係止することができる。
【００５５】
図４（c）は係止手段２５の別の実施形態を示す。
合成樹脂製の炊飯器用の炊き分け仕切り容器１０に設けられるもので、射出成型加工による突条の係止手段２５を設けることによって、本体の成型加工と同時加工ができるため極めて安価な加工手段で提供される。
【００５６】
図４（d）は係止手段２５の別の実施形態を示す。
合成樹脂製の炊飯器用の炊き分け仕切り容器１０に設けられるもので、射出成型加工による突起ボッチ状の係止手段２５を設けることによって、本体の成型加工と同時加工ができるため極めて安価な加工手段で提供される。
【００５７】
以上で構成される本発明の炊飯器用の炊き分け仕切り容器１０は、筒状容器部２１の内側に多様な形状による係止手段２５が形成され、該係止手段２５の内側に挿嵌される底上げ調整板３０の上下移動によって炊き分ける炊飯量の分量を大きく変えることができると共に、硬めのご飯と軟らかめのご飯の炊飯量を自由に設定することができる。
【産業上の利用可能性】
【００５８】
本発明の炊飯器用の炊き分け仕切り容器は、通水孔を設けた仕切り壁によって炊飯時の水流や水圧、蒸気圧、泡の発生等の内釜炊飯機能に影響を与えることなく被炊飯物の隔離が確実に行える共に、底上げ調整板の上下移動によって炊飯量の分量を大きく変えることができ、さらに硬めのご飯と軟らかめのご飯の炊飯量を自由に設定できることから、本発明における「炊飯器用の炊き分け仕切り容器」の産業上の利用可能性は極めて高いものと解する。
【符号の説明】
【００５９】
１０  炊飯器用の炊き分け仕切り容器
２０  鍔付き筒状容器
２１  筒状容器部
２２  通水孔
２３  鍔状のフランジ部
２４  通気穴
２５  係止手段
２６  切断スリット溝
２７  縁付き筒状容器
２８  環装状の縁部
２９  仕切り壁
３０  底上げ調整板
３１  通水孔
４０  ガタ押さえ緩衝体
４１  通気穴
４２  係止嵌め合い部
４３  連通穴
Ｓ  炊飯器
Ｆ  開閉蓋
Ｋ  内釜
Ｗ  水
Ｌ  水位
Ｒ  米粒
Ｂ  リベット
【要約】
【課題】炊飯器の内釜内に設けられて硬めのご飯と軟らかめのご飯を同時に炊き分けることができる炊飯器用の炊き分け仕切り容器の提供を図る。
【解決手段】炊飯器の内釜の上縁に掛着される炊飯器用の炊き分け仕切り容器であって、該炊飯器用の炊き分け仕切り容器は、鍔付き筒状容器と、該鍔付き筒状容器の内側に挿嵌される底上げ調整板と、で構成され、鍔付き筒状容器は、炊飯器の内釜の略1／２の外径寸法を有すると共に、該内釜の深さ寸法内に収まる筒状容器部を形成し、外周面には米粒より小さい複数の通水孔を設けた仕切り壁を形成し、内側面には底上げ調整板が上下に移動して係止される係止手段を形成し、上端部には炊飯器の内釜の上縁と同じ外形寸法を有する鍔状のフランジ部を形成すると共に、該上面には複数の通気穴を円弧状に設けて成り、底上げ調整板は、鍔付き筒状容器の内側に上下移動が可能な円板状の外径を形成すると共に、米粒より小さい複数の通水孔を設けて成る。
【選択図】図１【図１】
0005586075.tif 000002
【図２】
0005586075.tif 000003
【図３】
0005586075.tif 000004
【図４】
0005586075.tif 000005